(57)【要約】【課題】個人情報を記載した申込書等を金融機関や保険会社等に送付するための封筒付き帳票を提供する。【解決手段】高さが共通で幅寸法が異なる、下側から、封筒を形成する封筒裏紙片，表出面に送付先情報が印刷された封筒表紙片，封筒表紙片より広い幅一方は封筒裏紙片と一方は封筒表紙片と接着部で綴じ合わされた宛先情報保護紙片，一枚以上で構成され封筒裏紙片と一端で綴じ合わされた帳票内容記載紙片で構成され、宛先情報保護紙片と封筒裏紙片を接着する接着部の封筒側近傍に形成された切り離し予定部で宛先情報保護紙片と封筒部が切り離されるまでは宛先情報保護紙片上に印刷された送付先情報は見ることができないようになっている封筒付き帳票を提供する。【選択図】  図１
2008023767.tif 000002
【特許請求の範囲】
【請求項１】
高さが共通で幅寸法が異なる複数の紙片が重ねられ、その一部が接着されて封筒を形成している帳票であって、
封筒裏紙片と、
表出面に送付先情報が印刷され、封筒裏紙片の幅方向の一端に合せて重ねられた封筒裏紙片より幅が短い封筒表紙片と、
封筒表紙片の上部に封筒表紙片を覆うように重ねられ、封筒表紙片より幅が長い宛先情報保護紙片と、
宛先情報保護紙片の上部に重ねられ、一枚以上で構成された帳票内容記載紙片とからなり、
前記封筒裏紙片と前記封筒表紙片は、前記封筒裏紙片の幅方向の片側周縁上に形成されたパターン状接着部で固定され、
前記宛先情報保護紙片の一端は前記封筒裏紙片と、他の一端は前記封筒表紙片と、高さ方向に平行に形成された接着部によって固定され、
前記帳票内容記載紙片は、前記封筒裏紙片の封筒表紙片が形成されている側と逆の一端で接着部によって固定され、
前記宛先情報保護紙片と前記封筒裏紙片には、宛先情報保護紙片と封筒裏紙片を接着する接着部の封筒表紙片側近傍に、前記接着部と平行に、切り離し予定部が形成されたことを特徴とする封筒付き帳票。
【請求項２】
請求項１に記載の封筒付き帳票において、
封筒表紙片のパターン状接着部が形成されていない一端は、封緘用の接着部が剥離紙を伴って形成されたフラップ部になっており、フラップ部に対向する封筒裏紙片には切り離し予定部が形成されたことを特徴とする封筒付き帳票。
【請求項３】
請求項１，２何れか一項に記載の封筒付き帳票において、
封筒表紙片上に形成された接着部は、剥離可能な接着構造になっていることを特徴とする封筒付き帳票。
【請求項４】
請求項１，２，３何れか一項に記載の封筒付き帳票において、
宛先情報保護紙片と封筒裏紙片に形成された切り離し予定部は、宛先情報保護紙片と封筒裏紙片を貫通するミシン目状切り込み構造になっていることを特徴とする封筒付き帳票。
【発明の詳細な説明】
【技術分野】
【０００１】
本発明は、一部に封筒が形成された封筒付き帳票に関し、詳しくは、個人情報を記載した申込書等を金融機関や保険会社等に送付するための封筒付き帳票に関する。
【背景技術】
【０００２】
例えば、金融機関等に口座を開設する場合、金融機関の無人店舗や、金融機関の提携店舗などに置かれた申込帳票を持ち帰り、申込書に所定事項を記入して、金融機関に郵送する方法が多く用いられる。
これらの申込帳票の多くは、金融機関の宛先情報が印刷された封筒がパンフレットと一緒に綴じられた封筒付き帳票に申込帳票が挟み込まれ、更に透明な袋に入れられて所定の棚などに置かれている。
前述の口座開設希望者は、複写式の申込帳票に個人情報を記載して、印鑑を押して、本人を証明する運転免許証や、健康保険証などのコピーを同封して郵送する。
一方、葉書などで、これらの個人情報を郵送する場合は、目隠しシールなどと呼ばれる再剥離可能な粘着ラベルを、記載した個人情報の上に貼り付けて輸送する。
葉書の個人情報保護方法に関しては多くの提案がなされている（例えば、特許文献１，特許文献２）。
【０００３】
【特許文献１】特開平１１−３３４２５６号公報
【特許文献２】特開２００６−１５９７４９号公報
【発明の開示】
【発明が解決しようとする課題】
【０００４】
特許文献１や特許文献２で開示されている技術は、葉書に記載した個人情報を保護するための技術であるが、近年、前述の申込帳票などの宛先情報を改竄して不特定多数の個人情報を収集する新たな犯罪が出現している。
個人情報を収集する新たな犯罪とは、例えば、正規な宛先情報の上に、偽った送付先情報が印刷されたラベルを貼付し、前述の金融機関の無人店舗や、金融機関の提携店舗に置き、個人情報を収集する方法である。
本発明は、このような宛先情報の改竄を不可能たらしめ、安心して個人情報を郵送できる、安価な封筒付き帳票を提供することを目的とするものである。
【課題を解決するための手段】
【０００５】
前記課題の目的を達成するために、本発明の封筒付き帳票の第一の態様は、高さが共通で幅寸法が異なる複数の紙片が重ねられ、その一部が接着されて封筒を形成している帳票であって、封筒裏紙片と、表出面に送付先情報が印刷され封筒裏紙片の幅方向の一端に合せて重ねられた封筒裏紙片より幅が短い封筒表紙片と、封筒表紙片の上部に封筒表紙片を覆うように重ねられ、封筒表紙片より幅が長い宛先情報保護紙片と、宛先情報保護紙片の上部に重ねられ、一枚以上で構成された帳票内容記載紙片とからなり、前記封筒裏紙片と前記封筒表紙片は前記封筒裏紙片の幅方向の片側周縁上に形成されたパターン状接着部で固定され、前記宛先情報保護紙片の一端は前記封筒裏紙片と他の一端は前記封筒表紙片と高さ方向に平行に形成された接着部によって固定され、前記帳票内容記載紙片は、前記封筒裏紙片の封筒表紙片が形成されている側と逆の一端で接着部によって固定され、前記宛先情報保護紙片と前記封筒裏紙片には宛先情報保護紙片と封筒裏紙片を接着する接着部の封筒表紙片側近傍に前記接着部と平行に切り離し予定部が形成されたことを特徴とするものである。
【０００６】
また、第二の態様は、第一の態様において、封筒表紙片のパターン状接着部が形成されていない一端は、封緘用の接着部が剥離紙を伴って形成されたフラップ部になっており、フラップ部に対向する封筒裏紙片には切り離し予定部が形成されたことを特徴とするものである。
【０００７】
また、第三の態様は、第一，第二何れかの態様において、封筒表紙片上に形成された接着部は、剥離可能な接着構造になっていることを特徴とするものである。
【０００８】
また、第四の態様は、第一，第二，第三何れかの態様において、宛先情報保護紙片と封筒裏紙片に形成された切り離し予定部は、宛先情報保護紙片と封筒裏紙片を貫通するミシン目状切り込み構造になっていることを特徴とするものである。
【発明の効果】
【０００９】
１）第一の態様のように、高さが共通で幅寸法が異なる複数の紙片が重ねられ、その一部が接着されて封筒を形成している帳票であって、封筒裏紙片と、表出面に送付先情報が印刷され封筒裏紙片の幅方向の一端に合せて重ねられた封筒裏紙片より幅が短い封筒表紙片と、封筒表紙片の上部に封筒表紙片を覆うように重ねられ、封筒表紙片より幅が長い宛先情報保護紙片と、宛先情報保護紙片の上部に重ねられ、一枚以上で構成された帳票内容記載紙片とからなり、前記封筒裏紙片と前記封筒表紙片は前記封筒裏紙片の幅方向の片側周縁上に形成されたパターン状接着部で固定され、前記宛先情報保護紙片の一端は前記封筒裏紙片と他の一端は前記封筒表紙片と高さ方向に平行に形成された接着部によって固定され、前記帳票内容記載紙片は、前記封筒裏紙片の封筒表紙片が形成されている側と逆の一端で接着部によって固定され、前記宛先情報保護紙片と前記封筒裏紙片には宛先情報保護紙片と封筒裏紙片を接着する接着部の封筒表紙片側近傍に前記接着部と平行に切り離し予定部が形成されたことによって、不正を行うものは、宛先情報を改竄することができなくなり、宛先情報が改竄された封筒付き帳票が誤って使用されることが無くなる。
２）また、第二の態様のように、第一の態様において、封筒表紙片のパターン状接着部が形成されていない一端は、封緘用の接着部が剥離紙を伴って形成されたフラップ部になっており、フラップ部に対向する封筒裏紙片には切り離し予定部が形成されたことによって、利用者は、封緘のために糊を塗る必要がなく、容易に封筒を利用することができる。
３）また、第三の態様にように、第一，第二何れかの態様において、封筒表紙片上に形成された接着部は、剥離可能な接着構造になっていることによって、申込書を封筒で送付しようとする者にとって接着剤の痕跡が残った封筒を使用させられることがなく、また、集配所などの封筒の仕分け装置によるトラブルを無くすることができる。
４）また、第四の態様のように、第一，第二，第三何れかの態様において、宛先情報保護紙片と封筒裏紙片に形成された切り離し予定部は、宛先情報保護紙片と封筒裏紙片を貫通するミシン目状切り込み構造になっていることによって、封筒部と帳票内容記載紙片部を適切な位置で切り離すことができ、その結果、内包されている封筒のフラップ部が破壊されるようなトラブルを防止することができる。
【発明を実施するための最良の形態】
【００１０】
以下、図面を参照して本発明の封筒付き帳票について説明する。
図１は、本発明の封筒付き帳票の一例について説明するための図，図２は、図１のＡ−Ａ線断面図，図３は、本発明の封筒付き帳票の他の一例について説明するための図，図４は、本発明の封筒付き帳票の使用方法について説明するための図，である。
【００１１】
図１を参照して、本発明の封筒付き帳票の一例について説明する。
本発明の封筒付き帳票は、図に示すように、高さが共通で幅が異なる複数の紙片が重ねられ、その一部が接着されて封筒を形成している。
本発明の封筒付き帳票１は、封筒裏紙片１４と、封筒裏紙片１４の幅方向の一端に合せて重ねられた封筒裏紙片１４より幅が短い封筒表紙片１２と、封筒表紙片１２の上部に封筒表紙片１２を覆うように重ねられ、封筒表紙片１２より幅が長い宛先情報保護紙片１１と、宛先情報保護紙片１１の上部に重ねられた帳票内容記載紙片１３で構成されている。
表示しないが、前記封筒表紙片１２の表出面（宛先情報保護紙片１１と接する面）には、郵送の際の宛先情報が予め印刷されている。
また、前記宛先情報保護紙片１１は、前述の封筒表紙片１２の表出面に印刷された宛先情報を改竄から護るために形成されており、封筒を使用する際は剥ぎ取られる構造になっている。
また、宛先情報保護紙片１１の表出面には、そのための注意書きが印刷されている。
【００１２】
封筒裏紙片１４と封筒表紙片１２は、封筒裏紙片１４の幅方向の片側、図における右側の周縁上に形成されたパターン状接着部（図示せず）で固定され、封筒を形成している。
また、宛先情報保護紙片１１は、一端が封筒裏紙片１４と、他の一端が封筒表紙片１２と、縦に平行に形成された接着部（図示せず）によって固定されている。
帳票内容記載紙片１３は、封筒裏紙片１４の封筒表紙片１２が形成されている側と逆の一端、図における左側に形成された接着部によって綴じ合わされている。
帳票内容記載紙片が一枚の場合は、封筒裏紙片１４を、例えば、左端部分で折り返して帳票内容記載紙片１３とすることもできる。
前記宛先情報保護紙片１１と封筒裏紙片１４を接着する接着部（図示せず）の封筒表紙片側（図の右側）近傍に、接着部と平行に切り離し予定部（図示せず）が形成される。
【００１３】
図２を参照して、図１のＡ−Ａ線断面について説明する。
図に示す封筒付き帳票は、帳票内容記載紙片１３が封筒裏紙片１４と同じ幅の封筒付き帳票の一例である。
図に示す封筒付き帳票は、図の下側から、封筒裏紙片１４、封筒裏紙片の幅方向の一端（右側）を合せて重ねられた封筒裏紙片１４より幅が小さい封筒表紙片１２、封筒表紙片１２より幅が大きい宛先情報保護紙片１１、帳票内容記載紙片１３が図の順に重ねられて形成されている。
【００１４】
封筒裏紙片１４と封筒表紙片１２は、封筒裏紙片１４の幅方向の片側周縁上に形成されたパターン状接着部３で固定され封筒を形成している。
封筒表紙片１２の表出面には封筒の送付先（以下、宛先という）情報１２１が印刷されている。
また、宛先情報保護紙片１１の一端（図の左端）は封筒裏紙片１４と接着部４ｂによって固定され、他の一端（図の右端）は封筒表紙片１２と接着部４ｃによって固定されている。宛先情報保護紙片１１は、前記封筒表紙片１２の表出面に印刷された封筒の宛先情報１２１が改竄されないように設けた紙片で、多くは不透明な紙などの材料で構成される。
【００１５】
帳票内容記載紙片１３は、図に示すように封筒裏紙片１４と接着部４ａによって固定されている。
前述のように帳票内容記載紙片１３が一枚の場合は、帳票内容記載紙片１３は封筒裏紙片１４を折り返した延長紙片とすることができる。
帳票内容記載紙片１３が複数必要な場合は、図２の帳票内容記載紙片１３の上部に、図の左端に接着部を介して重ね合わせる。
【００１６】
宛先情報保護紙片１１と封筒裏紙片１４には、宛先情報保護紙片１１と封筒裏紙片１４を接着する接着部４ｂの封筒表紙片１２側近傍に、接着部４ｂと平行に、切り離し予定部５ａが形成される。
前記切り離し予定部５ａは、印刷などによるミシン目表示でもよいし、宛先情報保護紙片１１と封筒裏紙片１４を貫通するミシン目状の切り込み構造になってもよい。
印刷などによるミシン目表示の場合は、指、または、挟み等によって切り取られ、指によって切り取られる場合、封筒のフラップまで切り落とす可能性があるために、前述の宛先情報保護紙片１１と封筒裏紙片１４を貫通するミシン目状切り込み構造とすることが好ましい。
【００１７】
封筒表紙片１２のパターン状接着部３が形成されていない左側の一端は、封緘用の接着部２が剥離紙を伴って形成されたフラップ部になっている。
また、フラップ部に対向する封筒裏紙片１４には、切り離し予定部５ｂが形成される。
この切り離し予定部５ｂは、前述の宛先情報保護紙片１１と封筒裏紙片１４に形成された切り離し予定部５ａ同様、印刷などによるミシン目表示でもよいし、封筒裏紙片１４を貫通するミシン目状切り込み構造になってもよい。
【００１８】
また、封筒表紙片１２の上に形成された接着部４ｃは、宛先情報保護紙片１１が接着剤を伴って剥離可能な接着構造とすることが好ましく、再剥離型の接着剤や、再剥離可能再接着不能な接着構造とする。そのために、図示しないが、封筒表紙片１２側の接着部４ｃ形成面に、剥離特性を付与した印刷インキや、剥離塗料をコーティングなどの方法によって形成する。
また、フラップ部を折り曲げやすくするために、折り部６を形成する。
折り部６には、筋押しや切れ難いミシン目などを施す場合もある。
【００１９】
図３を参照して、本発明の封筒付き帳票の、他の一例について説明する。
図３に示す封筒付き帳票は、図１に示した封筒付き帳票の帳票内容記載面を拡張した例である。
封筒付き帳票１は、封筒裏紙片１４０と、封筒裏紙片１４０より幅が短い封筒表紙片１２と、封筒表紙片１２より幅が長い宛先情報保護紙片１１と、宛先情報保護紙片１１の上部に重ねられた帳票内容記載紙片１３０で構成されている。
封筒裏紙片１４０と封筒表紙片１２は、封筒裏紙片１４０の幅方向の片側、図における右側の周縁上に形成されたパターン状接着部（図示せず）で固定されている。
また、宛先情報保護紙片１１の一端は、封筒裏紙片１４０と、他の一端は封筒表紙片１２と、縦に平行に形成された接着部（図示せず）によって固定されている。
帳票内容記載紙片１３０は、封筒裏紙片１４０の図における左側、封筒表紙片１２が形成されている側と逆の一端で接着部によって綴じ合わされている。
【００２０】
図１の場合と同様、帳票内容記載紙片が一枚の場合は、封筒裏紙片１４０を、例えば、左端部分で折り返して帳票内容記載紙片１３０とすることもできる。
図１の場合と同様、宛先情報保護紙片１１と、封筒裏紙片１４０には、宛先情報保護紙片１１と封筒裏紙片１４０を接着する接着部（図示せず）の封筒表紙片側近傍に、接着部と平行に、切り離し予定部（図示せず）が形成されている。
図３の封筒付き帳票１は、最終的に全体を二つ折りにして封筒の横幅に近い形状で使用する。
その場合、前述の折り部６を帳票内容記載紙片１３０の幅方向の丁度中央になるように設計する。
【００２１】
図４を参照して、本発明の封筒付き帳票の使用方法について説明する。
図４では、図１に示した封筒付き帳票の例で説明する。
先ず、Ａ図に示すように、封筒付き帳票を左右に開き、切り離し部５ａで封筒部（図示せず）と帳票内容記載紙片１３を切り離す。切り離す前の時点では、封筒部は、「郵送の際は、この紙片を剥がしてお送りください。」と記載された宛先情報保護紙片１１で覆われ、前述の封筒表紙片に印刷された宛先情報を見ることができない状態になっている。
切り離された封筒部は、Ｂ図に示す状態になり、封筒部には「郵送の際は、この紙片を剥がしてお送りください。」と記載された宛先情報保護紙片１１で覆われている。
Ｂ図に示す状態からＣ図に示すように、封筒部から宛先情報保護紙片１１を封筒表紙片１２から引き剥がす。この時点で初めて、封筒表紙片１２に印刷された宛先情報１２１が表出する。
Ｅ図に示すように、Ｄ図の封筒のフラップ部（図示せず）の裏側１５を、切り離し部（図示せず）で切り離す。
Ｆ図に示すように、封筒の開口部（図示せず）を開いて、所定の事項を記載した申込書７を封入する。
Ｇ図に示すように、封筒のフラップ部の裏側に形成された両面テープ（封緘用接着部）の剥離紙２１を剥がして、折り部６でフラップ部を折り畳み封緘する。
【産業上の利用可能性】
【００２２】
個人情報を安心して郵送できるメールオーダー等に利用できる。
【図面の簡単な説明】
【００２３】
【図１】本発明の封筒付き帳票の一例について説明するための図である。
【図２】図１のＡ−Ａ線断面図である。
【図３】本発明の封筒付き帳票の、他の一例について説明するための図である。
【図４】本発明の封筒付き帳票の使用方法について説明するための図である。
【符号の説明】
【００２４】
１      封筒付き帳票
２      封緘用接着部（両面テープ）
３      パターン状接着部（パターン状接着剤）
４ａ，４ｂ，４ｃ  接着部（接着剤）
５ａ，５ｂ  切り離し部
６      折り部
７      申込書
１１    宛先情報保護紙片
１２    封筒表紙片
１３，１３０  帳票内容記載紙片
１４，１４０  封筒裏紙片
１５    フラップ部の裏側
２１    剥離紙
１２１  宛先情報
【図１】
2008023767.tif 000003
【図２】
2008023767.tif 000004
【図３】
2008023767.tif 000005
【図４】
2008023767.tif 000006